(57)【要約】【課題】送受信可能な伝送装置の設置工事で回線の送信側ケーブルと受信側ケーブルを間違えて回線工事した場合、伝送装置は、ネットワーク側と同期がとれず、通信ができないという問題がある。【解決手段】ＣＰＵ８は、回線の信号検出状態９と同期状態１０を監視し、信号検出と同期ともに自動的に正常な状態になるようにスイッチ４の状態を初期状態から切換状態へと固定する。これによって、送信／受信ケーブルの接続ミスを伝送装置内で吸収し、回線工事ミスによる障害を低減する。【選択図】      図１
2005051750.tif 000002
【特許請求の範囲】
【請求項１】
伝送信号を送受信する送信用ケーブルと受信用ケーブルが、２入力２出力のスイッチを介し、かつ前記２入力２出力のスイッチの切換状態に応じて送信手段または受信手段のどちらかにそれぞれ接続される伝送装置において、
前記受信手段の受信レベル状態が所定のレベル以下または前記受信信号の同期が未確立のいずれかである時、
前記スイッチの切換えを初期状態から反転する、
ことを特徴とする送受信ケーブルの誤接続自動修正方法。
【請求項２】
伝送信号を送受信する送信用ケーブルと受信用ケーブルが、２入力２出力のスイッチを介し、かつ前記２入力２出力のスイッチの切換状態に応じて送信手段または受信手段のどちらかにそれぞれ接続される伝送装置において、
前記受信手段の受信レベル状態と前記受信信号の同期状態を検出し、
前記受信手段の受信レベル状態が所定のレベル以下または前記受信信号の同期が未確立のいずれかである時、前記スイッチの切換えを初期状態から反転し、
所定の時間経過後、再び前記受信手段の受信レベル状態と前記受信信号の同期状態を検出し、
再び前記受信手段の受信レベル状態が所定のレベル以下または前記受信信号の同期が未確立のいずれかである時、前記スイッチの切換えを再び反転して初期状態に戻し、
接続障害を通知する警報を発して、前記伝送装置を待機状態にする、
ことを特徴とする送受信ケーブルの誤接続自動修正方法。
【請求項３】
前記請求項２に記載の送受信ケーブルの誤接続自動修正方法を定期的に行う、
ことを特徴とする送受信ケーブルの誤接続自動修正方法。
【請求項４】
伝送信号を送受信する送信用ケーブルと受信用ケーブルが、２入力２出力のスイッチを介し、かつ前記２入力２出力のスイッチの切換状態に応じて送信手段または受信手段のどちらかにそれぞれ接続される伝送装置において、
前記スイッチの切換状態を初期状態に設定するステップと、
前記受信手段の受信レベル状態を検出するステップと、
前記受信手段の受信信号の同期状態を検出するステップと、
前記受信手段の受信レベル状態が所定のレベル以下または前記受信信号の同期が未確立のいずれかである時、前記スイッチの切換えを反転するステップ、
を含むことを特徴とする送受信ケーブルの誤接続自動修正方法。
【請求項５】
伝送信号を送受信する送信用ケーブルと受信用ケーブルが、２入力２出力のスイッチを介し、かつ前記２入力２出力のスイッチの切換状態に応じて送信手段または受信手段のどちらかにそれぞれ接続される伝送装置において、
前記スイッチの切換状態を初期状態に設定するステップと、
前記受信手段の受信レベル状態を検出するステップと、
前記受信手段の受信信号の同期状態を検出するステップと、
前記受信手段の受信レベル状態が所定のレベル以下または前記受信信号の同期が未確立のいずれかである時、前記スイッチの切換えを反転するステップと、
所定の時間経過後、再び前記受信手段の受信レベル状態と前記受信信号の同期状態を検出するステップと、
再び前記受信手段の受信レベル状態が所定のレベル以下または前記受信信号の同期が未確立のいずれかである時、前記スイッチの切換えを再び反転して前記初期状態に戻すステップと、
接続障害を通知する警報を発して、前記伝送装置が待機状態にするステップ、
を含むことを特徴とする送受信ケーブルの誤接続自動修正方法。
【請求項６】
さらに、前記送受信ケーブルの誤接続自動修正方法を定期的に行うステップ、
を含むことを特徴とする請求項５に記載の送受信ケーブルの誤接続自動修正方法。
【請求項７】
伝送信号を送受信する送信用ケーブルと受信用ケーブルが、２入力２出力のスイッチを介し、かつ前記２入力２出力のスイッチの切換状態に応じて送信手段または受信手段のどちらかにそれぞれ接続される伝送装置であって、
前記受信手段の受信レベル状態が所定のレベル以下または前記受信信号の同期が未確立のいずれかである時、
前記スイッチの切換えを反転して前記送受信ケーブルの誤接続を自動修正する手段を、
備えることを特徴とする伝送装置。
【請求項８】
伝送信号を送受信する送信用ケーブルと受信用ケーブルが、２入力２出力のスイッチを介し、かつ前記２入力２出力のスイッチの切換状態に応じて送信手段または受信手段のどちらかにそれぞれ接続され、前記２入力２出力のスイッチと前記送受信手段を制御する制御手段を備える伝送装置であって、
前記制御手段が、
前記受信手段の受信レベル状態と前記受信信号の同期状態を検知し、
前記受信手段の受信レベル状態が所定のレベル以下または前記受信信号の同期が未確立のいずれかである時、前記スイッチの切換えを反転し、
所定の時間経過後、再び前記受信手段の受信レベル状態と前記受信信号の同期状態を検知し、
再び前記受信手段の受信レベル状態が所定のレベル以下または前記受信信号の同期が未確立のいずれかである時、前記スイッチの切換えを再び反転して初期状態に戻し、
接続障害を通知する警報を発し、
前記伝送装置を待機状態にする制御を行う、
ことを特徴とする伝送装置。
【請求項９】
前記制御手段が、
前記制御手段が行う前記制御を定期的に行う、
ことを特徴とする請求項８に記載の伝送装置。
【請求項１０】
前記受信手段は、
前記受信信号を符号識別して出力する手段と、前記受信信号のレベルを検出して前記信号レベル状態を出力する手段を備える、
ことを特徴とする請求項１から９のいずれかに記載の伝送装置
【請求項１１】
前記受信手段は、
前記符号識別された信号の同期が確立しているかまたは未確立であるかを検出して、前記信号の同期状態の情報を出力する手段を備える、
ことを特徴とする請求項１から１０の何れかに記載の伝送装置。
【請求項１２】
前記受信手段と前記送信手段と前記２入力２出力のスイッチとは、ハイブリッドまたはモノリシックに集積化されている、
ことを特徴とする請求項１０に記載の伝送装置。
【請求項１３】
複数の請求項７から１２のいずれかに記載の伝送装置を接続して構成する、
ことを特徴とする伝送システム。
【発明の詳細な説明】
【技術分野】
【０００１】
本発明は、送信及び受信機能を有する送受信伝送ユニットにおける送受伝送路コネクタの誤接続を自動的に修正する方法及びこの方法を用いた伝送装置並びに伝送システムに関する。
【背景技術】
【０００２】
ネットワーク構築のための伝送装置の設置工事で、通信回線の送信側ケーブルと受信側ケーブルを間違えて回線工事した場合、設置した伝送装置がネットワーク側と同期がとれず、通信ができないという問題がある。この入出力ケーブルの誤接続を自動的に補正する方法の一つが、入出力ケーブルが光ファイバの場合について公開公報に開示されている（例えば、特許文献１参照。）。
図８にその構成を示す。上り下りの光伝送路を通して対向する光伝送装置Ａと光伝送装置Ｂは、光送信機Ｅ／Ｏと光受信機Ｏ／Ｅを有し、伝送路である光ファイバを装置に接続するコネクタとの間に光スイッチを介在させている。制御回路は、光受信機Ｏ／Ｅの出力電気信号を監視し、上り下りの光伝送路の装置への接続が誤っていると、この出力電気信号が無出力であることを検知するので、２×２光スイッチをスルー（または、バー）の初期状態からクロスの状態へ切り換える制御を行い、誤接続の自動的な補正を行っている。
【０００３】
【特許文献１】特開昭６３−２２７２２６号公報（第３−５頁、図１）
【発明の開示】
【発明が解決しようとする課題】
【０００４】
上に示した従来の入力側／出力側ケーブルの伝送装置への誤接続自動補正の方式は、伝送されてきた信号のレベルを監視して接続を切り換えるものである。信号伝送速度が低速度で、対向装置間であるような場合には、信号のレベル監視のみで自動補正は機能する。しかし伝送速度が高ビットレートになり、とくにネットワークの規模が大規模であったり、またネットワーク全体が同期して通信する同期網の場合にはレベル監視のみでは不十分になってくる。
本発明は、このような問題点に鑑みて成されたものであって、その目的とするところは、送信／受信ケーブルの接続ミスを伝送装置内で吸収し、回線工事ミスによる障害を低減する誤接続自動修正方法及び伝送装置並びに伝送システムを提供することにある。
【課題を解決するための手段】
【０００５】
上記の課題を解決するために、本発明の送受信ケーブルの誤接続自動修正方法は、伝送信号を送受信する送信用ケーブルと受信用ケーブルが、２入力２出力のスイッチを介し、かつ２入力２出力のスイッチの切換状態に応じて送信手段または受信手段のどちらかにそれぞれ接続される伝送装置において、受信手段の受信レベル状態が所定のレベル以下または受信信号の同期が未確立のいずれかである時、スイッチの切換えを初期状態から反転することを特徴とする。
また、本発明の送受信ケーブルの誤接続自動修正方法は、伝送信号を送受信する送信用ケーブルと受信用ケーブルが、２入力２出力のスイッチを介し、かつ２入力２出力のスイッチの切換状態に応じて送信手段または受信手段のどちらかにそれぞれ接続される伝送装置において、受信手段の受信レベル状態と受信信号の同期状態を検出し、受信手段の受信レベル状態が所定のレベル以下または受信信号の同期が未確立のいずれかである時、スイッチの切換えを初期状態から反転し、所定の時間経過後、再び受信手段の受信レベル状態と受信信号の同期状態を検出し、再び受信手段の受信レベル状態が所定のレベル以下または受信信号の同期が未確立のいずれかである時、スイッチの切換えを再び反転して初期状態に戻し、接続障害を通知する警報を発して、伝送装置が待機状態にすることを特徴とする。
また、上記の送受信ケーブルの誤接続自動修正方法を定期的に行ってもよい。
また、本発明の送受信ケーブルの誤接続自動修正方法は、伝送信号を送受信する送信用ケーブルと受信用ケーブルが、２入力２出力のスイッチを介し、かつ２入力２出力のスイッチの切換状態に応じて送信手段または受信手段のどちらかにそれぞれ接続される伝送装置において、スイッチの切換状態を初期状態に設定するステップと、受信手段の受信レベル状態を検出するステップと、受信手段の受信信号の同期状態を検出するステップと、受信手段の受信レベル状態が所定のレベル以下または受信信号の同期が未確立のいずれかである時、スイッチの切換えを反転するステップを含むことを特徴とする。
また、本発明の送受信ケーブルの誤接続自動修正方法は、伝送信号を送受信する送信用ケーブルと受信用ケーブルが、２入力２出力のスイッチを介し、かつ２入力２出力のスイッチの切換状態に応じて送信手段または受信手段のどちらかにそれぞれ接続される伝送装置において、スイッチの切換状態を初期状態に設定するステップと、受信手段の受信レベル状態を検出するステップと、受信手段の受信信号の同期状態を検出するステップと、受信手段の受信レベル状態が所定のレベル以下または受信信号の同期が未確立のいずれかである時、スイッチの切換えを反転するステップと、所定の時間経過後、再び受信手段の受信レベル状態と受信信号の同期状態を検出するステップと、再び受信手段の受信レベル状態が所定のレベル以下または受信信号の同期が未確立のいずれかである時、スイッチの切換えを再び反転して初期状態に戻すステップと、接続障害を通知する警報を発して、伝送装置が待機状態にするステップを含むことを特徴とする。
さらに、上記の送受信ケーブルの誤接続自動修正方法を定期的に行うステップを含んでもよい。
【０００６】
また、本発明の伝送装置は、伝送信号を送受信する送信用ケーブルと受信用ケーブルが、２入力２出力のスイッチを介し、かつ２入力２出力のスイッチの切換状態に応じて送信手段または受信手段のどちらかにそれぞれ接続される伝送装置であって、受信手段の受信レベル状態が所定のレベル以下または受信信号の同期が未確立のいずれかである時、スイッチの切換えを反転して送受信ケーブルの誤接続を自動修正する手段を備えることを特徴とする。
また、本発明の伝送装置は、伝送信号を送受信する送信用ケーブルと受信用ケーブルが、２入力２出力のスイッチを介し、かつ２入力２出力のスイッチの切換状態に応じて送信手段または受信手段のどちらかにそれぞれ接続され、２入力２出力のスイッチと送受信手段を制御する制御手段を備えている伝送装置であって、制御手段が、受信手段の受信レベル状態と受信信号の同期状態を検知し、受信手段の受信レベル状態が所定のレベル以下または受信信号の同期が未確立のいずれかである時、スイッチの切換えを反転し、所定の時間経過後、再び受信手段の受信レベル状態と受信信号の同期状態を検知し、再び受信手段の受信レベル状態が所定のレベル以下または受信信号の同期が未確立のいずれかである時、スイッチの切換えを再び反転して初期状態に戻し、接続障害を通知する警報を発し、上記の伝送装置を待機状態にする制御を行うことを特徴とする。
制御手段は、制御手段が行う制御を定期的に行ってもよい。
受信手段は、検出器と、検出器の光電変換信号を符号識別して出力する手段と、光電変換信号のレベルを検出して信号レベル状態を出力する手段を備えてもよい。
受信手段は、符号識別された信号の同期が確立しているかまたは未確立であるかを検出して、信号の同期状態の情報を出力する手段を備えてもよい。
受信手段と送信手段と２入力２出力のスイッチとは、ハイブリッドまたはモノリシックに集積化されていてもよい。
また、本発明の伝送システムは、複数の上記伝送装置を接続して構成することを特徴とする。
【発明の効果】
【０００７】
本発明は、伝送信号を送受信する伝送装置において、受信手段の受信レベル状態が所定のレベル以下または受信信号の同期が未確立のいずれかである時、送信用ケーブルおよび受信用ケーブルの自動切換えをすることにより、回線工事のミスによる障害を少なくすることができる。
【発明を実施するための最良の形態】
【０００８】
本発明の実施の形態について図面を参照して説明する。
【実施例１】
【０００９】
図１は、本発明の伝送装置の第１の実施形態である光伝送装置の構成を示す図である。図１（Ａ）は送受の光ファイバを正しく接続工事した場合を示し、図１（Ｂ）は、送信光ファイバと受信光ファイバとを間違えて接続工事した場合を示す。
光伝送装置１は、光ファイバコネクタの受け側コネクタ２と、２連の１×２の光スイッチ４と、光を合流／分岐するカプラ５と、光モジュール６と、フレーマ７と、ＣＰＵ８とから構成される。
図１（Ａ）を参照して、受信側の信号経路を説明すると、受信光コネクタ２−１に接続された受信光ファイバ３−１からの信号光は、光スイッチ４とカプラ５−１を透過して光モジュール６の受信部に入力する。光モジュール６は、受信光信号を光電気変換し、電気に変換された受信信号を符号識別して、受信信号をフレーマ７へ送出し、受信信号検出状態の情報をＣＰＵ８に送出する。フレーマ７は、受信信号からデータを分離し、また受信信号の同期状態の情報をＣＰＵ８に送出する。
次に送信側の信号経路は、データ入出力１２からの送信データは、フレーマ７によってオーバヘッドを付加され送信フレーム構造に組み立てられ、光モジュール６において電気光変換され、光スイッチ４、送信光コネクタ２−２を通じて送信光ファイバ３−２に送出される。
今、図１（Ｂ）に示すように受信光ファイバ３−１が送信光コネクタ２−２に接続され、また、送信光ファイバ３−２が受信光コネクタ２−１に接続されるような、誤った接続工事が行われたとする。ＣＰＵ８は、光回線の信号検出状態９と同期状態１０を監視し、信号検出と同期ともに自動的に正常な状態になるように光スイッチ５の状態を初期状態から切換状態へと固定する。これによって、受信光ファイバ３−１からの光信号は光モジュールの受信部へ正しく接続され、光モジュール送信部からの送信光信号は送信光ファイバ３−２へ正しく接続される。
【００１０】
本発明の特徴は、信号検出のみによる接続切換ではなく、同期状態を監視し信号検出とともに同期も正常な状態になるように光スイッチを切り換えることにある。光入力が検出されても同期はずれや同期のスリップ等同期の不安定は、以下のような場合に生じると考えられる。
例えば光ファイバコネクタの接続工事を行った時に、接続不良による減衰のために光モジュール受信部に到達する信号レベルが低く信号のＳ／Ｎが悪い場合や、回線ジッタが大きい場合、また対向局である送信局が規定の同期パターンを送信していない場合などがある。このため、同期状態の監視を可能とする本発明の光伝送装置の構成に関し、図２を参照し、具体的な信号形式を例にとって光モジュール６とフレーマ７の構成を細かく説明する。ここでは、光伝送信号が、同期転送モード（ＳＯＮＥＴ／ＳＤＨ）のペイロードにＡＴＭ信号が多重化された信号形式の場合を説明する。しかしながら、信号形式はこの形式に限るものではないことはいうまでもない。
【００１１】
光モジュール６の受信側の回路は、光信号入力を光電変換する受光器６１と、前置増幅器６２と、利得可変増幅器６３と、ＰＬＬ回路又はクロック抽出回路６５と、識別回路６４と、ピーク検出回路６６を備える。
前置増幅器６２は、受光器６１の光電変換出力信号を電流電圧変換する。ＰＬＬ回路又はクロック抽出回路６５は、利得可変増幅器６３の出力からクロックを抽出する。識別回路６４は、抽出されたクロックによって信号を識別する。ピーク検出回路６６は、光信号の有無とレベルを検出する。ＣＰＵ８はピーク検出回路６６の出力から信号検出状態９を読み取る。
フレーマ７は、フレーム同期・回復回路７１と、監視レジスタ７３と、ＡＴＭレイヤインタフェース７２と、コントローラインタフェース７４と、フレーム生成回路７５を備える。
同期・回復回路７１は、光モジュール６内の識別回路６４の出力信号から、ＳＯＮＥＴ／ＳＤＨフレーム中のオーバヘッドが含む同期パターンをモニタする。監視レジスタ７３は、フレーム同期・回復回路７１が出力する同期状態情報を格納する。ＡＴＭレイヤインタフェース７２は、フレーム同期・回復回路７１によってＳＯＮＥＴ／ＳＤＨフレームのペイロード中から分離されたＡＴＭ信号を出力する。コントローラインタフェース７４は、ＣＰＵ８とフレーマとのインタフェースを司る。フレーム生成回路７５は、ＡＴＭレイヤインタフェースを介して光伝送装置１外から入力するＡＴＭ信号をＳＯＮＥＴ／ＳＤＨフレームに多重化する。
ＣＰＵ８は、コントローラインタフェース７４を介して監視レジスタの同期状態１０を読み取る。ＣＰＵ８は、信号検出状態９と同期状態１０とから光スイッチ４の切換状態を制御する必要が生じた時に光スイッチ制御１１を送出する。
また、送信信号はフレーム生成回路７５によってＡＴＭ信号がＳＯＮＥＴ／ＳＤＨフレームに多重化されて光モジュール６に送信される。
【００１２】
本実施形態の自動接続補正の動作を図３のフローを参照して説明する。この動作は、光信号検出状態の監視と、光信号の同期状態の監視とに基づいて、光ファイバ誤接続を検知し、光スイッチによって接続を自動補正するものである。
光ファイバの接続後、光伝送装置が起動されると、ＣＰＵは光スイッチを初期状態に設定する（Ｓ１）。次にＣＰＵは光モジュールの光信号検出状態を読み取る（Ｓ２）。光信号が所定のレベルより高いことが検出された場合（Ｓ３）、ＣＰＵはフレーマの監視レジスタから同期状態を読み取る（Ｓ４）。同期が確立していれば光スイッチの接続状態の変更を行わない（Ｓ５）
ステップ３で光信号が検出されない場合やステップ５で同期が確立しておらず、また不安定であった場合、ＣＰＵは光スイッチの切換を指示する（Ｓ６）。次にＣＰＵは光モジュールの光信号検出状態を読み取る（Ｓ７）。光信号が検出された場合、ＣＰＵはフレーマの監視レジスタから同期状態を読み取る（Ｓ８）。光信号が検出され同期が確立していれば光スイッチの接続状態の変更を行わない（Ｓ９）
ステップ７で光信号が検出されない場合やステップ９で同期が確立しておらず、また不安定であった場合、ＣＰＵは、アラームを発し待機状態を取る（Ｓ１０）。そして、回線断の障害や送信局の障害と接続工事ミスとを峻別できるように、ＣＰＵは、定期的に光信号検出状態と同期状態を光伝送装置から読み取るフローに戻る（Ｓ２）。何度も信号検出や同期が不全な状態が続き、アラームを発するステップ１０の状態に戻る場合、障害は接続工事ミスでなく、回線断の障害や送信局の障害であることが検知される。
本実施例によれば、光信号検出状態の監視と、光信号の同期状態の監視とに基づいて、光ファイバ誤接続を検知するため、光スイッチによって接続を確実に自動補正することができる。
【実施例２】
【００１３】
図１の実施形態の光伝送装置に用いている光スイッチは、２連の１×２光スイッチと２つのカプラ５によって構成している。光スイッチ４のコネクタ２側の端子とカプラ５の光モジュール６側の端子の両端で見ると、これらは２×２光スイッチを構成していることになる。従って、上記の２連の１×２光スイッチと２つのカプラ５による構成に限らず各種の方式の光スイッチを用いることができる。
例えば、ファイバ光を平行光束化し２つの光束を直交交差させた交点で９０度反射鏡を機械的に挿脱して光路を直進と９０度反射とに切り換える方式がその一つである。また、斜面を接合した２つの９０度プリズムを光束の交点に配し、その接合層の屈折率を電気的に変化させて光路を直進と９０度反射とに切り換える方式もある。
また、マイクロマシン技術による超小型の機械駆動型の光スイッチ、さらには、電気光学効果や熱光学効果を用いた導波路方向性結合器型光スイッチや半導体導波路の電界光吸収効果を使った分岐／ゲート型のスイッチなどを用いることができる。
【００１４】
光スイッチを含む光回路と、発光／受光素子と電子回路とを集積したＯＥＩＣとをモノリシックまたはハイブリッドに集積化することが可能となっている。図４は本発明の光伝送装置が備える光モジュール６と光スイッチを含む光回路とを１素子に集積化することによって光回路集積光モジュール６００を構成するものである。このように構成することによって、安定性、信頼性、耐久性の高い光伝送装置が実現できる。集積化する光スイッチの方式は、２連の１×２光スイッチと２つのカプラ５の組み合わせに限らず、上で述べた種々の方式の光スイッチを採用することができる。
【００１５】
本発明の光伝送装置は、ノードを複数接続したリング状光ネットワークやラダー型光ネットワークを含む光同期網に適用することができる。
【実施例３】
【００１６】
図５は、本発明の伝送装置の第２の実施形態である同軸伝送装置１００の構成を示す図である。図５（Ａ）は送受の同軸ケーブルを正しく接続工事した場合を示し、図５（Ｂ）は、送信同軸ケーブルと受信同軸ケーブルとを間違えて接続工事した場合を示す。
同軸伝送装置１００は、同軸コネクタの受け側コネクタ１６と、非平衡−平衡変換トランス１５と、平衡型で１×２の２連リレー１４と、光を合流／分岐するカプラ５と、ラインインターフェースユニット（ＬＩＵ）１３と、フレーマ７と、ＣＰＵ８とから構成される。
図１の光伝送装置１と図５の同軸伝送装置１００との構成の違いは以下の通りである。図１の光スイッチ４とカプラ５から成る２×２光スイッチが、図５の非平衡−平衡変換トランス１５と平衡型で１×２の２連リレー１４に置き換わり、光モジュール６がＬＩＵ１３に置き換わっている。この違いは入出力ケーブル３が光ファイバから同軸ケーブル１７に変わったことによる。
ＬＩＵ１３は、光モジュール６が光送受信の機能と符号識別やピーク検出などの信号検出機能を備えているのと同様に、ＩＴＵ−Ｔ  Ｇ．７０３やＡＮＳＩ．Ｔ１．１０２の規格に準拠した電気ディジタル信号を送受信する機能と光モジュール６の信号検出機能と同じ機能を備える。
フレーマ７は、図２に示したフレーマと同一である。
【００１７】
図５（Ａ）を参照して、受信側の信号経路を説明する。受信用同軸コネクタ１６−１に接続された受信同軸ケーブル１７−１からの受信信号は、トランス１５−１によって非平衡型の信号が平衡型の信号に変換され、リレー１４を透過してＬＩＵ１３の受信部に入力する。ＬＩＵ１３は、受信信号を符号識別して、識別された信号をフレーマ７へ送出し、同時に受信信号検出状態の情報をＣＰＵ８に送出する。フレーマ７は、受信信号からデータを分離して伝送装置外に出力し、同時に受信信号の同期状態の情報をＣＰＵ８に送出する。
次に送信側の信号経路では、データ入出力１２からの送信データは、フレーマ７によってオーバヘッドを付加され送信フレーム構造に組み立てられる。そしてＬＩＵ１３、リレー１４、非平衡−平衡変換トランス１５、送信用同軸コネクタ１５−２を通じて送信同軸ケーブル１７−２に送出される。
伝送信号は第１の実施形態と同様、ここでも同期転送モード（ＳＯＮＥＴ／ＳＤＨ）のペイロードにＡＴＭ信号が多重化された信号形式であるとする。しかしながら、信号形式はこの形式に限られないことはいうまでもない。
フレーマ７は、図２に示すように、フレーム同期・回復回路７１と、監視レジスタ７３と、ＡＴＭレイヤインタフェース７２と、コントローラインタフェース７４と、フレーム生成回路７５を備える。
フレーム同期・回復回路７１は、ＬＩＵ１３の出力信号から、ＳＯＮＥＴ／ＳＤＨフレーム中のオーバヘッドが含む同期パターンをモニタする。監視レジスタ７３は、フレーム同期・回復回路７１が出力する同期状態情報を格納する。ＡＴＭレイヤインタフェース７２は、フレーム同期・回復回路７１によってＳＯＮＥＴ／ＳＤＨフレームのペイロード中から分離されたＡＴＭ信号を出力する。コントローラインタフェース７４は、ＣＰＵ８とフレーマとのインタフェースを司る。フレーム生成回路７５は、ＡＴＭレイヤインタフェースを介して同軸伝送装置１００外から入力するＡＴＭ信号１２をＳＯＮＥＴ／ＳＤＨフレームに多重化する。
ＣＰＵ８は、コントローラインタフェース７４を介して監視レジスタの同期状態１０を読み取る。ＣＰＵ８は、信号検出状態９と同期状態１０とから光スイッチ４の切換状態を制御する必要が生じた時にリレー制御１８を送出する。
また、送信信号はフレーム生成回路７５によってＡＴＭ信号がＳＯＮＥＴ／ＳＤＨフレームに多重化されてＬＩＵ１３に送信される。
【００１８】
今、図５（Ｂ）に示すように受信同軸ケーブル１７−１が送信用同軸コネクタ１６−２に接続され、また、送信同軸ケーブル１７−２が受信用同軸コネクタ１６−１に接続されるような、誤った接続工事が行われたとする。ＣＰＵ８は、同軸回線の信号検出状態９と同期状態１０を監視し、信号検出と同期ともに自動的に正常な状態になるようにリレー１４の状態を初期状態から切換状態へと固定する。これによって、受信同軸ケーブル１７−１からの光信号はＬＩＵ１３の受信部へ正しく接続され、ＬＩＵ１３の送信部からの送信信号は送信同軸ケーブル１７−２へ正しく接続される。
この動作は、同軸受信信号の検出状態の監視と同期状態の監視とに基づいて、同軸ケーブル誤接続を検知し、リレーによって接続を自動補正するものである。
本実施形態の自動接続補正の動作を図６のフローを参照して説明する。
同軸ケーブルの接続後、同軸伝送装置が起動されると、ＣＰＵはリレーを初期状態に設定する（Ｓ１１）。次にＣＰＵはＬＩＵの光信号検出状態を読み取る（Ｓ１２）。受信信号が所定のレベルより高いことが検出された場合（Ｓ１３）、ＣＰＵはフレーマの監視レジスタから同期状態を読み取る（Ｓ１４）。同期が確立していればリレーの接続状態の変更を行わない（Ｓ１５）
ステップ１３で光信号が検出されない場合やステップ１５で同期が確立しておらず、また不安定であった場合、ＣＰＵはリレーの切換を指示する（Ｓ１６）。次にＣＰＵはＬＩＵの光信号検出状態を読み取る（Ｓ１７）。受信信号が検出された場合、ＣＰＵはフレーマの監視レジスタから同期状態を読み取る（Ｓ１８）。受信信号が検出され同期が確立していればリレーの接続状態の変更を行わない（Ｓ１９）
ステップ１７で光信号が検出されない場合やステップ１９で同期が確立しておらず、また不安定であった場合、ＣＰＵは、アラームを発し待機状態を取る（Ｓ２０）。そして、回線断の障害や送信局の障害と接続工事ミスとを峻別できるように、ＣＰＵは、定期的に信号検出状態と同期状態を伝送装置から読み取るフローに戻る（Ｓ１２）。何度も信号検出や同期が不全な状態が続き、アラームを発するステップ２０の状態に戻る場合、障害は接続工事ミスでなく、回線断の障害や送信局の障害であることが検知される。
本実施例によれば、同軸受信信号検出状態の監視と、受信信号の同期状態の監視とに基づいて、同軸ケーブル誤接続を検知するため、リレーによって接続を確実に自動補正することができる。
【実施例４】
【００１９】
図７は本発明の同軸伝送装置が備えるＬＩＵとリレーとを１素子に集積化することによってＬＩＵリレー集積モジュール７００を構成するものである。このように構成することによって、安定性、信頼性、耐久性の高い光伝送装置が実現できる。
【００２０】
なお、本発明の伝送装置は、ノードを複数接続したリング状光ネットワークやラダー型ネットワークを含む同期網に適用することができる。この技術分野ですでにＩＴＵ−ＴやＩＥＥＥ等の技術標準に規定されている送信局における障害や伝送路における障害に対する監視や復旧の手立てに加えて、本発明の光伝送装置への送受信伝送路の誤接続に対する対応手段が加わることによって、より信頼性の高いネットワークを構築することができる。
【産業上の利用可能性】
【００２１】
本発明は、伝送機器に限らず光ケーブルや同軸ケーブルを用いた通信装置、信号接続装置において広く用いることができる。
【図面の簡単な説明】
【００２２】
【図１】本発明の伝送装置の第１の実施形態の構成を示す図である。
【図２】本発明の光伝送装置の第１の実施形態が備える光モジュール部とフレーマ部の内部機能を説明する図である。
【図３】本発明の伝送装置の第１の実施形態が有する光ケーブルの誤接続にたいする自動補正機能の動作を説明するフロー図である。
【図４】本発明の伝送装置の第１の実施形態が備える光回路集積光モジュールの集積構成を説明する図である。
【図５】本発明の伝送装置の第２の実施形態の構成を示す図である。
【図６】本発明の伝送装置の第２の実施形態が有する同軸ケーブルの誤接続にたいする自動補正機能の動作を説明するフロー図である。
【図７】本発明の伝送装置の第２の実施形態が備えるＬＩＵリレー集積モジュールの集積構成を説明する図である。
【図８】従来の光ファイバ誤接続を自動補正する光伝送装置の構成を示す図である。
【符号の説明】
【００２３】
１    光伝送装置
２    光コネクタ
３    光ファイバ
４    光スイッチ
５    カプラ
６    光モジュール
７    フレーマ
８    ＣＰＵ
９    信号検出状態
１０    同期状態
１１    光スイッチ制御
１２    データ入出力
１３    ＬＩＵ
１４    リレー
１５    トランス
１６    同軸コネクタ
１７    同軸ケーブル
１８    リレー制御
６１    受光器
６２    前置増幅器
６３    利得可変増幅器
６４    識別回路
６５    クロック抽出回路
６６    ピーク検出回路
７１    フレーム同期・回復回路
７２    ＡＴＭレイヤインタフェース
７３    監視レジスタ
７４    コントローラインタフェース
７５    フレーム生成回路
６００    光回路集積光モジュール
１００    同軸伝送装置
７００    ＬＩＵリレー集積モジュール
【図１】
2005051750.tif 000003
【図２】
2005051750.tif 000004
【図３】
2005051750.tif 000005
【図４】
2005051750.tif 000006
【図５】
2005051750.tif 000007
【図６】
2005051750.tif 000008
【図７】
2005051750.tif 000009
【図８】
2005051750.tif 000010